(57)【要約】【課題】混合水栓に対し、ペア配管により水及び湯が供給可能な見た目のよい配管連結構造を提供する。【解決手段】本発明に係る管部材は、継手に接続するように構成された管部材であって、軸方向の両端部に、第１端部及び第２端部を有する曲管部と、前記曲管部の第１端部から延びる第１直管部と、前記曲管部の第２端部から延びる第２直管部と、を備え、前記曲管部、第１直管部、及び第２直管部が一体的に形成されており、前記第１直管部の軸心と前記第２直管部の軸心とが垂直に交わるように、Ｌ字状に形成され、前記第１及び第２直管部の各々の軸方向の長さは、前記継手の挿入代以上である。【選択図】図２
2019124047.tif 000002
【特許請求の範囲】
【請求項１】
継手に接続するように構成された管であって、
軸方向の両端部に、第１端部及び第２端部を有する曲管部と、
前記曲管部の第１端部から延びる第１直管部と、
前記曲管部の第２端部から延びる第２直管部と、
を備え、
前記曲管部、第１直管部、及び第２直管部が一体的に形成されており、
前記第１直管部の軸心と前記第２直管部の軸心とが垂直に交わるように、Ｌ字状に形成され、
前記第１及び第２直管部の各々の軸方向の長さは、前記継手の挿入代以上である、管部材。
【請求項２】
前記第１直管部における前記第１端部とは反対側の端部と、前記第２直管部の軸心との距離が、１００ｍｍ未満である、請求項１に記載の管部材。
【請求項３】
前記第１直管部及び第２直管部の呼び径が２０ｍｍ以下であり、前記曲管部の軸心の曲率半径が、３０ｍｍ以下である、請求項１または２に記載の管部材。
【請求項４】
混合水栓において所定間隔をおいて配置された給水部及び給湯部に接続される配管連結構造であって、
前記給湯部に連結される第１継手部材と、
前記給水部に連結される第２継手部材と、
前記第１継手部材と第２継手部材との間に配置され、請求項１から３のいずれかに記載の管部材と同一構成の第１管部材であって、前記第１直管部が前記第１継手部材に接続された第１管部材と、
前記第１継手部材と第２継手部材との間に配置され、請求項１から３のいずれかに記載の管部材と同一構成の第２管部材であって、前記第１直管部が前記第２継手部材に接続された第２管部材と、
少なくとも、前記第１継手部材、前記第２継手部材、前記第１管部材の第１直管部及び曲管部、及び前記第２管部材の第１直管部及び曲管部が収容される収容体と、
を備え、
前記収容体の内部において、前記第１管部材の曲管部と前記第２管部材の曲管部との間に隙間が形成され、
前記第１管部材の第２直管部と前記第２管部材の第２直管部とが平行に延びるように配置されている、配管連結構造。
【請求項５】
前記第１管部材の第２直管部の外周面と、前記第２管部材の第２直管部の外周面との距離が、５０ｍｍ以下である、配管連結構造。
【発明の詳細な説明】
【技術分野】
【０００１】
本発明は、管部材、及びこれを備えた配管連結構造に関する。
【背景技術】
【０００２】
冷水と湯水とをそれぞれ流す供給管から、混合水栓などに冷水と湯水とを供給するには、例えば、特許文献１に示すような配管構造が用いられている。この例では、混合栓に対して湯を供給する供給管と、水を供給する供給管とが離れて配置されている。そのため、両者が近接したペア配管を用いることができない。これに対して、例えば、特許文献２では、混合水栓に対し、湯及び水を供給するペア配管を用いた配管構造が開示されている。
【先行技術文献】
【特許文献】
【０００３】
【特許文献１】特開２００１−９０１２９号公報
【特許文献２】特許第５０９５４６５号公報
【発明の概要】
【発明が解決しようとする課題】
【０００４】
しかしながら、特許文献２の配管構造では、混合水栓に対し、ペア配管が左側にずれて配置されているため、見た目のバランスがよくないという問題がある。特にリフォームで部屋に向く内壁側に配管する場合、この問題は大きい。本発明は、上記問題を解決するためになされたものであり、混合水栓に対し、ペア配管により水及び湯が供給可能な見た目のよい配管連結構造、及び一例としてこの配管連結構造に用いることができる管部材を提供することを目的する。
【課題を解決するための手段】
【０００５】
本発明に係る管部材は、継手に接続するように構成された管部材であって、軸方向の両端部に、第１端部及び第２端部を有する曲管部と、前記曲管部の第１端部から延びる第１直管部と、前記曲管部の第２端部から延びる第２直管部と、を備え、前記曲管部、第１直管部、及び第２直管部が一体的に形成されており、前記第１直管部の軸心と前記第２直管部の軸心とが垂直に交わるように、Ｌ字状に形成され、前記第１及び第２直管部の各々の軸方向の長さは、前記継手の挿入代以上である。
【０００６】
上記管部材においては、前記第１直管部における前記第１端部とは反対側の端部と、前記第２直管部の軸心との距離が、１００ｍｍ未満とすることができる。
【０００７】
上記各部材においては、前記第１直管部及び第２直管部の呼び径が２０ｍｍ以下とすることができ、前記曲管部の軸心の曲率半径を、３０ｍｍ以下とすることができる。
【０００８】
本発明に係る配管連結構造は、混合水栓において所定間隔をおいて配置された給水部及び給湯部に接続される配管連結構造であって、前記給湯部に連結される第１継手部材と、前記給水部に連結される第２継手部材と、前記第１継手部材と第２継手部材との間に配置され、上述したいずれかの管部材と同一構成の第１管部材であって、前記第１直管部が前記第１継手部材に接続された第１管部材と、前記第１継手部材と第２継手部材との間に配置され、上述したいずれかの管部材と同一構成の第２管部材であって、前記第１直管部が前記第２継手部材に接続された第２管部材と、少なくとも、前記第１継手部材、前記第２継手部材、前記第１管部材の第１直管部及び曲管部、及び前記第２管部材の第１直管部及び曲管部が収容される収容体と、を備え、前記収容体の内部において、前記第１管部材の曲管部と前記第２管部材の曲管部との間に隙間が形成され、前記第１管部材の第２直管部と前記第２管部材の第２直管部とが平行に延びるように配置されている。
【０００９】
上記配管連結構造においては、前記第１管部材の第２直管部の外周面と、前記第２管部材の第２直管部の外周面との距離を、５０ｍｍ以下とすることができる。
【発明の効果】
【００１０】
本発明によれば、混合水栓に対し、ペア配管により水及び湯が供給可能な見た目のよい配管連結構造を提供することができる。
【図面の簡単な説明】
【００１１】
【図１】本発明に係る配管連結構造の一実施形態及びこれが取付けられる混合水栓の正面図である。
【図２】図１の配管連結構造の内部構造を示す正面図である。
【図３】図２の配管連結構造を下側から見た内部構造を示す図である。
【図４】給湯ユニットから取り外した第１管部材の正面図である。
【図５】図４の第１管部材を左側から見た図である。
【図６】図２の配管連結構造と対比するための他の配管連結構造の例を示す正面図である。
【図７】本発明の管部材を出隅に対して適用した例を示す図である。
【図８】本発明の管部材を入隅に対して適用した例を示す図である。
【発明を実施するための形態】
【００１２】
以下、本発明に係る配管連結構造を混合水栓に取付けた場合の一実施形態について、図面を参照しつつ説明する。図１は混合水栓及びこれに取付けられた配管連結構造の正面図である。図１に示すように、この配管連結構造１００は、混合水栓１に対して水及び湯を供給するものである。まず、混合水栓１について説明する。
【００１３】
＜１．混合水栓の概要＞
図１に示すように、混合水栓１は、浴室などに設けられて湯及び水を吐出するものであり、直方体状の水栓本体１１と、この水栓本体１１の下面に取付けられ、水栓本体１１から水または湯を排出する蛇口管１２と、を備えている。また、水栓本体１１の上面には、左側に湯を排出を調整する第１ハンドル１３と、右側に水の排出を調整する第２ハンドル１４とが設けられている。さらに、水栓本体１１の背面の一方側と他方側には、水栓本体１１の内部に湯を供給する第１供給管（給湯部）１５と、水を供給する第２供給管（給水部）１６とが連結されている。水栓本体１１の内部には通水路が形成され、第１供給管１５、第２供給管１６と蛇口管１２とを連通する。したがって、湯は第１供給管１５から水栓本体１１を介して蛇口管１２から排出され、水は第２供給管１６から水栓本体１１を介して蛇口管１２から排出される。また、第１ハンドル１３と第２ハンドル１４に接続されたスピンドルが通水路の開閉を加減することで、吐水量、温度が調整できる。
【００１４】
配管連結構造１００は、このように構成された混合水栓１に対し、湯及び水を供給する。より詳細に説明すると、湯及び水は、図示を省略する給湯本管及び給水本管から、それぞれ下方に延びる給湯支管５１及び給水支管５２から配管連結構造１００を介して混合水栓１に供給される。なお、給湯支管５１及び給水支管５２は、浴室の壁、具体的には浴室内を向く壁面７に沿って設けられる。また、これら給湯支管５１及び給水支管５２には化粧カバーを取付けることもできる。以下、配管連結構造１００について説明する。
【００１５】
＜２．配管連結構造の概要＞
図２は配管連結構造の内部構造を示す図であり、図３は配管連結構造を下側から見た内部構造を示す図である。なお、これらの図では、ケース２を透過し、その内部を示している。図２及び図３に示すように、この配管連結構造１００は、直方体状のケース（収容体）２と、給湯支管５１から混合水栓１の第１供給管１５に湯を供給するための給湯ユニット３と、給水支管５２から混合水栓１の第２供給管１６に水を供給するための給水ユニット４と、を備えている。ケース２は、上面２１、下面２２、前面２３、及び一対の側面２４，２５を有する直方体状に形成され、壁面７側が開口している。すなわち、後述するように壁面７に固定された給湯ユニット３及び給水ユニット４を覆うように配置される。なお、壁面７とケース２との継ぎ目はコーキングされ、ケース２の内部に水が浸入しないようにすることができる。
【００１６】
給湯ユニット３は、ケース２の左側に配置され、第１座付水栓エルボ（第１継手部材）３１と、この第１座付水栓エルボ３１に接続されるＬ字型の第１管部材３２と、を備えており、第１座付水栓エルボ３１には、上述した第１供給管１５が連結されている。
【００１７】
第１座付水栓エルボ３１は、９０度に曲がるＬ字型の第１エルボ管３１１と、この第１エルボ管３１１を支持する板状の固定部材３１２とを備えている。第１エルボ管３１１は、図２の紙面の手前側（壁面７と直交する方向の室内側）に向く第１端部と、図２の右側（水平かつ壁面７に沿う方向）を向く第２端部とを備えており、固定部材３１２は、第１エルボ管３１１がこのような向きとなるように、第１エルボ管３１１を支持している。すなわち、固定部材３１２は、ネジなどで壁面７に固定され、第１エルボ管３１１を壁面７に対して固定している。
【００１８】
第１エルボ管３１１の第１端部には第１連結部材３１３が取付けられ、第２端部には第２連結部材３１４が取付けられている。そして、第１連結部材３１３には、混合水栓１の第１供給管１５が固定され、第２連結部材３１４には第１管部材３２が固定されている。これら連結部材３１３，３１４の構成は特には限定されないが、ねじ込み式、差込み式などの公知の構造で、管部材等を着脱自在、あるいは離脱不能に連結することができる。また、これら連結部材３１３，３１４は、接続する管部材の径に応じて適宜交換することができる。したがって、径の大きい管部材を接続する連結部材３１３，３１４は外径が大きくなり、径の小さい管部材を接続する連結部材３１３，３１４は外径が小さくなる。なお、本実施形態では、第１連結部材３１３は、ねじ込み式（ネジ式）で構成され、第１供給管１５がねじ込まれている。一方、第２連結部材３１４は、ワンタッチで取り付けられ取り外し不能となる差し込み式であり、第１管部材３２が差し込まれている。このような連結部材の構成は、後述する、給水ユニット４の連結部材４１３，４１４及び上部連結部材６１，６２においても同じである。
【００１９】
次に、第１管部材３２について説明する。図４は、給湯ユニットから取り外した第１管部材の正面図であり、図５は、図４の第１管部材を左側から見た図である。
【００２０】
図４及び図５に示すように、第１管部材３２は、軸方向の両端部に、第１端部及び第２端部を有する曲管部３２１と、曲管部３２１の第１端部から延びる第１直管部３２２と、曲管部３２１の第２端部から延びる第２直管部３２３と、を備えており、これらは一体的に形成されている。より詳細に説明すると、曲管部３２１は９０度に曲がるように形成されており、第１直管部３２２は曲管部３２１から左側に延びている。一方、第２直管部３２３は曲管部３２１から上方に延びている。また、第１直管部３２２は、第２連結部材３１４に連結され、第２直管部３２３はケース２の上面２１に形成された切り欠きから上方に突出している。そして、第２直管部３２３の上端には、第１上部連結部材６１が固定され、この第１上部連結部材６１を介して給湯支管５１が連結されている。また、ケース２の前面２３には、混合水栓１の供給管１５，１６を挿入するための切り欠き（貫通孔）が形成されており、この切り欠きと供給管１５，１６との隙間は、コーキングすることができ、これによって、ケース２の内部に水が浸入しないようにすることができる。
【００２１】
第１管部材３２はＬ字型に形成されているが、より詳細に説明すると、第１直管部３２２の軸心Ｌ１と第２直管部３２３の軸心Ｌ２とが垂直に交わるように構成されている。また、第１直管部３２２は、第２連結部材３１４に差し込み可能な長さの差込代Ｘを有している。すなわち、第１直管部３２２は、差込代Ｘ以上の長さを有している。第２直管部３２３も同様に、第１上部連結部材６１に差込可能な差込代Ｙ以上の長さを有している。具体的には、差込代Ｘ，Ｙは、例えば、１５〜２５ｍｍとすることができる。
【００２２】
第１管部材３２の形状は特には限定されないが、例えば、呼び径が２０ｍｍ以下の場合には、曲管部３２１の軸心Ｌ３の曲率半径Ｒを３０ｍｍ以下とすることができる。具体的には、例えば、呼び径が１３ｍｍの場合には曲率半径Ｒを１３．５ｍｍ、呼び径が１６ｍｍの場合には曲率半径Ｒを１９．５ｍｍとすることができる。
【００２３】
なお、第１管部材３２を構成する材料は特には限定されないが、例えば、樹脂、金属などで形成することができる。樹脂は特には限定されないが、例えば架橋ポリエチレンを用いることができる。
【００２４】
次に、給水ユニット４について説明する。給水ユニット４は、給湯ユニット３と同様の構成であり、給湯ユニット３と左右対称の形状で、ケース２の右側に配置されている。すなわち、給湯ユニット３と同様の構成の、第２座付水栓エルボ（第２継手部材）４１と、この第２座付水栓エルボ４１に接続されるＬ字型の第２管部材４２と、を備えており、第２座付水栓エルボ４１には、上述した第２供給管１６が連結されている。また、第２管部材４２の上端には、第２上部連結部材６２を介して、給水支管５２が連結されている。
【００２５】
これら第２座付水栓エルボ４１及び第２管部材４２の構成は、第１座付水栓エルボ３１及び第１管部材３２と同じである。すなわち、図面において、給湯ユニット３には、符号３１、３２、３１１〜３１４、３２１〜３２３が付されており、給水ユニット４には符号４１、４２、４１１〜４１４、４２１〜４２３が付されているが、給湯ユニット３の各部材に付された「３」と、給水ユニット４の各部材に付された「４」が相違するだけであり、下一桁または下二桁が同じ部材は対応する同一構成であるため、説明を省略する。
【００２６】
次に、給湯ユニット３と給水ユニット４との位置関係について説明する。ケース２の内部において、第１管部材３２の第２直管部３２３と第２管部材４２の第２直管部４２３との間には、隙間Ｓが形成されており、この隙間の水平方向の長さは、５０ｍｍ以下とすることができる。そして、この隙間Ｓにより、両管部材３２，４２は干渉することなく、またこれら管部材３２，４２に取付けられた第１上部連結部材６１と第２上部連結部材６２も干渉しないようになっている。
【００２７】
＜３．特徴＞
以上のように構成された配管連結構造１００によれば、次の効果を得ることができる。すなわち、給湯ユニット３の第１管部材３２が給水ユニット４側に配置され、給水ユニット４の第２管部材４２が給湯ユニット３側に配置されている。そして、第１管部材３２及び第２管部材４２は、ともにＬ字状に形成され、上端部が上方を向くように配置されている。そのため、これら各管部材３２，４２に連結される給湯支管５１及び給水支管５２は、ケース２の左右方向の中央付近に接続されるように配置され、且つ、給湯支管５１及び給水支管５２を近接した状態で平行に配置することができる。したがって、見た目をよくすることができ、且つ給湯支管５１及び給水支管５２をコンパクトに配置することができる。
【００２８】
また、本実施形態においては、各座付水栓エルボ３１，４１に対し、Ｌ字状の第１及び第２管部材３２，４２を連結している。そして、これら管部材３２，４２の両端には、継手が取付けられておらず管のみで構成されている。そのため、例えば、第１座付水栓エルボ３１の第１連結部材３１３と、第２座付水栓エルボ４２の第１連結部材４１４との距離Ｄが短くても、両管部材３２、４２が干渉するのを防止することができる。なお、この距離Ｄは２００ｍｍ程度のように、短いのが一般的である。
【００２９】
これに対して、例えば、図６に示すように、第１及び第２管部材３２，４２の代わりに、両端に連結部材が取付けられた公知のＬ字継手９１，９２を用いることもできるが、このようなＬ字継手９１，９２は、直管９５を介して、各座付水栓エルボ３１，４１の連結部材３１４，４１４に連結される。そのため、距離Ｄが短い場合には、図６のようにＬ字継手９１，９２同士が干渉するおそれがあり、施工することができない。したがって、本実施形態のように、連結部材の設けられていない管のみで構成された管部材３２，４２を用いると、距離Ｄが短くても、各座付水栓エルボ３１，４１の間に、給湯支管５１及び給水支管を配置することができ、全体として配管をコンパクトにすることができる。
【００３０】
＜４．変形例＞
以上、本発明の一実施形態について説明したが、本発明はこれに限定されるものではなく、その趣旨を逸脱しない限りにおいて種々の変更が可能である。なお、以下の変形例は、適宜組み合わせ可能である。
【００３１】
＜４−１＞
上記実施形態に係る配管連結構造１００においては、座付水栓エルボ３１，４１により、管部材３２，４２と混合水栓１の供給管１５，１６とを連結しているが、これらを連結できれば、その構成は特には限定されず、座付水栓エルボ３１，４１以外の継手部材を用いることもできる。また、混合水栓１の供給管１５，１６の構成も特には限定されず、水栓本体１１と配管連結構造１００とを連結できるものであればよい。また、混合水栓１の構成も特には限定されず、湯と水を排出できるのであれば、水栓本体１１の形状、ハンドル１３，１４、蛇口管１２は、他の形状でもよい。具体的には、上述した２ハンドル混合水栓の他、シングルレバー混合水栓やサーモスタット混合水栓であってもよい。また、上記実施形態では、本発明に係る継手の例として、各種の連結部材３１３，３１４，４１３，４１４，６１，６２として、ネジ式や差込式を示したが、これに限定されるものではなく、管同士等、液体を通す部材同士を連結できるように構成された継手でいれば、他のタイプのものでも適宜使用することができる。
【００３２】
＜４−２＞
ケース２の構成も特には限定されず、少なくとも両座付水栓エルボ３１，４１、管部材３２，４２の曲管部３２１，４２１及び第１直管部３２２，４２２を収容できればよい。したがって、各第２直管部３２３，４２３の全体または一部が収容されるように構成されていてもよい。また、ケース２の形状も特には限定されず、直方体以外でもよい。
【００３３】
＜４−３＞
管部材３２，４２の構成は、特には限定されず、各直管部３２２，３２３，４２２，４２３の軸方向の長さは同一でもよいし、異なっていてもよい。また、曲管部３２１，４２１の径、曲率半径も特には限定されない。
【００３４】
＜４−４＞
上記実施形態では、管部材３２，４２を配管連結構造に用いたが、例えば、図７に示すように、同様の構成の管部材３００を出隅７０１に沿うように配置したり、あるいは図８に示すような入隅７０２に沿うように配置することもできる。
【符号の説明】
【００３５】
１  混合水栓
１５  第１供給管（給湯部）
１６  第２供給管（給水部）
１００  配管連結構造
２  ケース（収容体）
３１  第１座付水栓エルボ（第１継手部材）
３２  第１管部材
３２１  曲管部
３２２  第１直管部
３２３  第２直管部
４１  第２座付水栓エルボ（第２継手部材）
４２  第２管部材
４２１  曲管部
４２２  第１直管部
４２３  第２直管部
【図１】
2019124047.tif 000003
【図２】
2019124047.tif 000004
【図３】
2019124047.tif 000005
【図４】
2019124047.tif 000006
【図５】
2019124047.tif 000007
【図６】
2019124047.tif 000008
【図７】
2019124047.tif 000009
【図８】
2019124047.tif 000010